(57)【要約】【課題】予約情報を認証した上での制御対象の解施錠の制御を、低消費電力で実現可能な無線端末を提供する。【解決手段】本無線端末は、起動させられることにより制御対象の解施錠部を解錠させる又は解錠待機状態にさせる信号を送信可能とする無線通信インタフェースと、制御対象から発信される信号であって制御対象の識別情報を含む信号を受信可能なウェイクアップ信号受信部と、制御対象の解錠予約情報を保持する予約情報管理手段と、解錠予約情報に基づいて、制御対象から受信すべき識別情報を予め設定する識別情報設定手段と、ウェイクアップ信号受信部によって受信された信号が、設定された受信すべき識別情報を含む信号であるか否かを判定するウェイクアップ判定手段と、ウェイクアップ判定手段が真の判定を行った際、無線通信インタフェースを起動させるインタフェース制御手段とを有する。【選択図】図２
2014095223.tif 000002
【特許請求の範囲】
【請求項１】
無線通信を介して制御対象の解施錠部を制御する無線端末であって、
起動させられることにより前記解施錠部を解錠させる又は解錠待機状態にさせる信号を送信可能とする無線通信インタフェースと、
前記制御対象から発信される信号であって該制御対象の識別情報を含む信号を受信可能なウェイクアップ信号受信部と、
前記制御対象の解錠予約情報を保持する予約情報管理手段と、
当該解錠予約情報に基づいて、前記制御対象から受信すべき識別情報を予め設定する識別情報設定手段と、
前記ウェイクアップ信号受信部によって受信された信号が、設定された当該受信すべき識別情報を含む信号であるか否かを判定するウェイクアップ判定手段と、
前記ウェイクアップ判定手段が真の判定を行った際、前記無線通信インタフェースを起動させるインタフェース制御手段と
を有することを特徴とする無線端末。
【請求項２】
前記予約情報管理手段は、前記ウェイクアップ判定手段が真の判定を行った際、前記無線端末と接続可能なネットワークに設置されたサーバであって前記制御対象の解錠予約情報を予め登録したサーバに対し、当該解錠予約情報を照会して、該サーバから前記制御対象の解錠予約情報を取得して更新する
ことを特徴とする請求項１に記載の無線端末。
【請求項３】
起動させられた前記無線通信インタフェースは、前記制御対象から解錠認証情報を受信可能であり、
受信された当該解錠認証情報と、保持された又は更新された当該解錠予約情報とを照合し、所定の照合条件が満たされる場合に前記解施錠部を解錠させる又は解錠待機状態にさせる信号を前記制御対象宛てに送信させる制御管理手段
を更に有することを特徴とする請求項１又は２に記載の無線端末。
【請求項４】
前記ウェイクアップ信号受信部は、前記制御対象から発信される信号であって該制御対象の識別情報とともに該制御対象の分類情報を含む信号を受信可能であり、
前記予約情報管理手段は、保持した当該解錠予約情報に基づいて、受信された当該分類情報に対応する前記制御対象の識別子を予め設定し、設定された当該識別子と、起動させられた前記無線通信インタフェースによって受信された標識信号に含まれる識別子とが一致した際、又は設定された当該識別子を接続先として含む接続問い合わせ信号であって前記無線通信インタフェースから発信された接続問い合わせ信号に対応する応答信号を該無線通信インタフェースによって受信した際、前記無線通信インタフェースに対し、前記制御対象との通信を確立させる
ことを特徴とする請求項３に記載の無線端末。
【請求項５】
前記制御対象の識別情報を含む信号は、各々が所定のフレーム長を有する連続した複数のフレームであって、複数の当該フレーム長のなす順列が当該識別情報に対応している複数のフレームであり、
前記ウェイクアップ判定手段は、前記ウェイクアップ信号受信部によって受信された複数のフレームにおけるフレーム長のなす順列が、設定された当該受信すべき識別情報に対応しているか否かを判定する
ことを特徴とする請求項１から４のいずれか１項に記載の無線端末。
【請求項６】
前記無線端末の加速度を測定する加速度センサと、
測定された加速度の情報から前記無線端末が移動しているか否かを判定する移動判定手段と、
前記移動判定手段が真の判定を行った際、前記ウェイクアップ信号受信部を起動させるウェイクアップ制御手段と
を更に有することを特徴とする請求項１から５のいずれか１項に記載の無線端末。
【請求項７】
前記制御管理手段は、受信された当該解錠認証情報と、保持された又は更新された当該解錠予約情報とを照合して所定の照合条件が満たされ、且つ前記制御対象から発信された信号であって起動させられた前記無線通信インタフェースによって受信された信号の強度が所定閾値以上である際、及び又は所定比以上に増大した際、前記解施錠部を解錠させる信号を前記制御対象宛てに送信させる
ことを特徴とする請求項３又は４に記載の無線端末。
【請求項８】
前記制御管理手段は、前記制御対象の使用終了に相当する操作を検知した際、前記無線端末と接続可能なネットワークに設置されたサーバであって前記制御対象の解錠予約情報を予め登録したサーバに使用終了通知を送信し、前記サーバに当該解錠予約情報に係る前記制御対象の使用終了を登録させる
ことを特徴とする請求項３、４又は７に記載の無線端末。
【請求項９】
無線通信部を備えた制御対象と、無線通信を介して該制御対象の解施錠部を制御する無線端末とを備えた解施錠制御システムであって、
前記制御対象は、該制御対象の識別情報を含む信号を送信可能であり、
前記無線端末は、
起動することによって、前記解施錠部を解錠させる又は解錠待機状態にさせる信号を送信可能とする端末側無線通信インタフェースと、
前記制御対象から発信される信号であって該制御対象の識別情報を含む信号を受信可能な端末側ウェイクアップ信号受信部と、
前記制御対象の解錠予約情報を保持する予約情報管理手段と、
当該解錠予約情報に基づいて、前記制御対象から受信すべき識別情報を予め設定する識別情報設定手段と、
前記ウェイクアップ信号受信部によって受信された信号が、設定された当該受信すべき識別情報を含む信号であるか否かを判定するウェイクアップ判定手段と、
前記ウェイクアップ判定手段が真の判定を行った際、前記端末側無線通信インタフェースを起動させる端末側インタフェース制御手段と
を有することを特徴とする解施錠制御システム。
【請求項１０】
前記制御対象の前記無線通信部は、対象側ウェイクアップ信号受信部と対象側無線通信インタフェースとを含み、
前記無線端末は、前記端末側無線通信インタフェースが起動した際、前記対象側無線通信インタフェースを起動させる起動信号を送信させる制御管理手段を更に有しており、
前記制御対象は、前記対象側ウェイクアップ信号受信部によって当該起動信号を受信した際、前記対象側無線通信インタフェースを起動させる対象側インタフェース制御手段を更に有する
ことを特徴とする請求項９に記載の解施錠制御システム。
【請求項１１】
前記制御対象は、前記解施錠部が解施錠の対象とする扉部を備えていて、該扉部が閉じられた際、該扉部が閉状態であるとの情報を含む信号を送信可能であり、
前記ウェイクアップ判定手段は、前記端末側ウェイクアップ信号受信部によって受信された信号が、前記扉部が閉状態であるとの情報を含む信号であるか否かを判定し、
前記端末側インタフェース制御手段は、前記扉部が閉状態であるとの情報を含む信号を受信したとの判定が行われた際、前記端末側無線通信インタフェースを起動させて、前記解施錠部を施錠させる信号を送信させ、
前記解施錠部は、受信された当該施錠させる信号に基づいて前記扉部を施錠する
ことを特徴とする請求項９又は１０に記載の解施錠制御システム。
【請求項１２】
無線通信を介して制御対象の解施錠部を制御する無線端末における解施錠制御方法であって、
前記無線端末は、
起動させられることにより前記解施錠部を解錠させる又は解錠待機状態にさせる信号を送信可能とする無線通信インタフェースと、
前記制御対象の解錠予約情報を保持する予約情報管理手段と
を有しており、
前記解施錠制御方法は、
当該解錠予約情報に基づいて、前記制御対象から受信すべき識別情報を予め設定する第１のステップと、
前記制御対象から発信される信号を受信する第２のステップと、
当該受信された信号が、設定された当該受信すべき識別情報を含む信号であるか否かを判定する第３のステップと、
第３のステップで真の判定が行われた際、前記無線通信インタフェースを起動させる第４のステップと
を有することを特徴とする解施錠制御方法。
【請求項１３】
無線通信を介して制御対象の解施錠部を制御する無線端末に搭載されたコンピュータを機能させる解施錠制御プログラムであって、
前記無線端末は、
起動させられることにより前記解施錠部を解錠させる又は解錠待機状態にさせる信号を送信可能とする無線通信インタフェースと、
前記制御対象から発信される信号であって該制御対象の識別情報を含む信号を受信可能なウェイクアップ信号受信部と、
前記制御対象の解錠予約情報を保持する予約情報管理手段と
を有しており、
前記解施錠制御プログラムは、
当該解錠予約情報に基づいて、前記制御対象から受信すべき識別情報を予め設定する識別情報設定手段と、
前記ウェイクアップ信号受信部によって受信された信号が、設定された当該受信すべき識別情報を含む信号であるか否かを判定するウェイクアップ判定手段と、
前記ウェイクアップ判定手段が真の判定を行った際、前記無線通信インタフェースを起動させるインタフェース制御手段と
してコンピュータを機能させることを特徴とする無線端末用の解施錠制御プログラム。
【発明の詳細な説明】
【技術分野】
【０００１】
本発明は、無線通信を介して対象の解施錠を制御する技術に関する。
【背景技術】
【０００２】
近年、車両のドア・トランク等の解施錠を自動で行うスマートキーが普及している。例えば、ユーザがスマートキーを携帯して車両に近づくだけで、車両のドアが解錠され、一方、ドアを閉めた後にスマートキーを携帯して車両から離れれば、自動的に施錠される。
【０００３】
この際、スマートキーから暗号化された鍵情報が無線通信として発信され、車両は搭載された受信機を用いてこの鍵情報を受信し、予め保持した鍵データと照合を行う。受信された鍵情報が所定の照合条件を満たせば、スマートキーを携帯して車両に接近してきた者は正当なユーザであると認証され、ドア等が解錠されるのである。
【０００４】
このようなスマートキーによる車両のドア・トランクの解錠技術として、例えば、特許文献１には、車両の送信部からＲＳＳＩ確認コマンドを送信し、受信したスマートキーでは当該コマンドのＲＳＳＩ値を検出して車両に返信する技術が開示されている。ここで、ＲＳＳＩ値を受信した車両では、このＲＳＳＩ値が所定の閾値以上であればドア又はトランクを解錠する。
【０００５】
また、近年、登録したユーザ間で特定の車両を共同使用するカーシェアリングについても普及が進んでいる。このカーシェアリングにおいても、車両のドアの解錠を行うために鍵認証が行われる。例えば、特許文献２には、携帯端末を、ネットワークを介して共用車両管理サーバに接続することによって予約情報を送受信する技術が開示されている。ここで、携帯端末において受信された予約証情報が、Bluetooth（登録商標）を介して車両に送信され、この予約証情報を受信した車両において照合・認証が行われて、共用車両が利用可能となる。
【０００６】
さらに、特許文献３には、鍵情報を、管理センタから携帯電話網を介して受信してメモリに格納する無線通信携帯端末と、同じく鍵情報を、管理センタから携帯電話網を介して受信してメモリに格納する車両とを有する鍵認証システムが開示されている。ここで、無線通信携帯端末に格納された鍵情報は、Bluetooth（登録商標）を介して車両に送信され、この鍵情報を受信した車両は、この鍵情報と格納された鍵情報とを照合し、認証処理を行う。
【先行技術文献】
【特許文献】
【０００７】
【特許文献１】特開２０１２−１７５５８号公報
【特許文献２】特開２００９−２１８９４２号公報
【特許文献３】特開２０１２−４３１６７号公報
【発明の概要】
【発明が解決しようとする課題】
【０００８】
しかしながら、上述したような認証処理を行うスマートキーを、車両との間で無線通信が可能となる車両外の作動エリア内に放置すると、このスマートキーが起動状態となって、車両との間で定期的に無線通信を行ってしまう。その結果、不要な電力が消費される、といった問題が生じる。
【０００９】
実際、スマートキーを、車両が駐車しているガレージの近くに置いて保管した結果、このスマートキーが予定よりも相当に早く電池切れ状態になってしまった、との報告もなされている。また、このような事態を受けて、販売するスマートキーのマニュアルに、車両付近に長時間スマートキーを置かないように、との注意書きを行っている例も存在する。さりとて、この対策として、スマートキーの無線通信機能をＯＦＦにしてしまうと、車両に近づくだけで自動的に解錠又は解錠スタンバイが可能となる、というスマートキー本来の利点が損なわれてしまう。
【００１０】
一方、カーシェアリング等、予約を行って所定の場所に駐車している車両を利用するような状況は、今後ますます増加することが予想される。この場合、スマートキーが、多数の車両外の作動エリアを経験したり、その中で長時間滞在したりといった状況も十分に考えられる。
【００１１】
しかしながら、上述したような従来技術は、いずれも認証のために、無線通信機能が起動していることを前提としており、上記の不要な電力が消費される状況に対処することは何ら想定されていない。因みに、このような消費電力の増大は、車両とスマートキーとの認証システムだけではなく、無線通信を介して種々のタイプの解施錠部の制御を行う無線端末において、重大な問題となる。
【００１２】
そこで、本発明は、予約情報を認証した上での解施錠の制御を、低消費電力で実現可能な無線端末、制御システム、制御方法及び制御プログラムを提供することを目的とする。
【課題を解決するための手段】
【００１３】
本発明によれば、無線通信を介して制御対象の解施錠部を制御する無線端末であって、
起動させられることにより解施錠部を解錠させる又は解錠待機状態にさせる信号を送信可能とする無線通信インタフェースと、
制御対象から発信される信号であって制御対象の識別情報を含む信号を受信可能なウェイクアップ信号受信部と、
制御対象の解錠予約情報を保持する予約情報管理手段と、
解錠予約情報に基づいて、制御対象から受信すべき識別情報を予め設定する識別情報設定手段と、
ウェイクアップ信号受信部によって受信された信号が、設定された受信すべき識別情報を含む信号であるか否かを判定するウェイクアップ判定手段と、
ウェイクアップ判定手段が真の判定を行った際、無線通信インタフェースを起動させるインタフェース制御手段と
を有する無線端末が提供される。
【００１４】
この本発明による無線端末の一実施形態として、予約情報管理手段は、ウェイクアップ判定手段が真の判定を行った際、無線端末と接続可能なネットワークに設置されたサーバであって制御対象の解錠予約情報を予め登録したサーバに対し、解錠予約情報を照会して、このサーバから制御対象の解錠予約情報を取得して更新することも好ましい。
【００１５】
また、本発明による無線端末によれば、起動させられた無線通信インタフェースは、制御対象から解錠認証情報を受信可能であり、
受信された解錠認証情報と、保持された又は更新された解錠予約情報とを照合し、所定の照合条件が満たされる場合に解施錠部を解錠させる又は解錠待機状態にさせる信号を制御対象宛てに送信させる制御管理手段を更に有することも好ましい。
【００１６】
さらに、本発明による無線端末の他の実施形態として、ウェイクアップ信号受信部は、制御対象から発信される信号であって制御対象の識別情報とともに制御対象の分類情報を含む信号を受信可能であり、
予約情報管理手段は、保持した解錠予約情報に基づいて、受信された分類情報に対応する制御対象の識別子を予め設定し、設定された識別子と、起動させられた無線通信インタフェースによって受信された標識信号に含まれる識別子とが一致した際、又は設定された識別子を接続先として含む接続問い合わせ信号であって無線通信インタフェースから発信された接続問い合わせ信号に対応する応答信号を無線通信インタフェースによって受信した際、無線通信インタフェースに対し、制御対象との通信を確立させることも好ましい。
【００１７】
また、制御対象の識別情報を含む信号に係る一実施形態として、当該信号は、各々が所定のフレーム長を有する連続した複数のフレームであって、複数の当該フレーム長のなす順列が識別情報に対応している複数のフレームであり、
ウェイクアップ判定手段は、ウェイクアップ信号受信部によって受信された複数のフレームにおけるフレーム長のなす順列が、設定された受信すべき識別情報に対応しているか否かを判定することも好ましい。
【００１８】
さらに、本発明による無線端末の他の実施形態として、無線端末の加速度を測定する加速度センサと、
測定された加速度の情報から無線端末が移動しているか否かを判定する移動判定手段と、
移動判定手段が真の判定を行った際、ウェイクアップ信号受信部を起動させるウェイクアップ制御手段と
を更に有することも好ましい。
【００１９】
また、本発明による無線端末の他の実施形態として、制御管理手段は、受信された解錠認証情報と、保持された又は更新された解錠予約情報とを照合して所定の照合条件が満たされ、且つ制御対象から発信された信号であって起動させられた無線通信インタフェースによって受信された信号の強度が所定閾値以上である際、及び／又は所定比以上に増大した際、解施錠部を解錠させる信号を制御対象宛てに送信させることも好ましい。
【００２０】
さらに、予約情報を管理するサーバに係る一実施形態として、制御管理手段は、制御対象の使用終了に相当する操作を検知した際、無線端末と接続可能なネットワークに設置されたサーバであって制御対象の解錠予約情報を予め登録したサーバに使用終了通知を送信し、サーバに解錠予約情報に係る制御対象の使用終了を登録させることも好ましい。
【００２１】
本発明によれば、また、無線通信部を備えた制御対象と、無線通信を介して制御対象の解施錠部を制御する無線端末とを備えた解施錠制御システムであって、
制御対象は、制御対象の識別情報を含む信号を送信可能であり、
無線端末は、
起動することによって、解施錠部を解錠させる又は解錠待機状態にさせる信号を送信可能とする端末側無線通信インタフェースと、
制御対象から発信される信号であってこの制御対象の識別情報を含む信号を受信可能な端末側ウェイクアップ信号受信部と、
制御対象の解錠予約情報を保持する予約情報管理手段と、
解錠予約情報に基づいて、制御対象から受信すべき識別情報を予め設定する識別情報設定手段と、
ウェイクアップ信号受信部によって受信された信号が、設定された受信すべき識別情報を含む信号であるか否かを判定するウェイクアップ判定手段と、
ウェイクアップ判定手段が真の判定を行った際、端末側無線通信インタフェースを起動させる端末側インタフェース制御手段と
を有する解施錠制御システムが提供される。
【００２２】
この本発明による解施錠制御システムの一実施形態として、制御対象の無線通信部は、対象側ウェイクアップ信号受信部と対象側無線通信インタフェースとを含み、
無線端末は、端末側無線通信インタフェースが起動した際、対象側無線通信インタフェースを起動させる起動信号を送信させる制御管理手段を更に有しており、
制御対象は、対象側ウェイクアップ信号受信部によって起動信号を受信した際、対象側無線通信インタフェースを起動させる対象側インタフェース制御手段を更に有することも好ましい。
【００２３】
また、本発明による解施錠制御システムの他の実施形態として、制御対象は、解施錠部が解施錠の対象とする扉部を備えていて、この扉部が閉じられた際、扉部が閉状態であるとの情報を含む信号を送信可能であり、
ウェイクアップ判定手段は、端末側ウェイクアップ信号受信部によって受信された信号が、扉部が閉状態であるとの情報を含む信号であるか否かを判定し、
端末側インタフェース制御手段は、扉部が閉状態であるとの情報を含む信号を受信したとの判定が行われた際、端末側無線通信インタフェースを起動させて、解施錠部を施錠させる信号を送信させ、
解施錠部は、受信された施錠させる信号に基づいて扉部を施錠することも好ましい。
【００２４】
本発明によれば、さらに、無線通信を介して制御対象の解施錠部を制御する無線端末における解施錠制御方法であって、
上記無線端末は、
起動させられることにより解施錠部を解錠させる又は解錠待機状態にさせる信号を送信可能とする無線通信インタフェースと、
制御対象の解錠予約情報を保持する予約情報管理手段と
を有しており、
上記解施錠制御方法は、
解錠予約情報に基づいて、制御対象から受信すべき識別情報を予め設定する第１のステップと、
制御対象から発信される信号を受信する第２のステップと、
受信された信号が、設定された受信すべき識別情報を含む信号であるか否かを判定する第３のステップと、
第３のステップで真の判定が行われた際、無線通信インタフェースを起動させる第４のステップと
を有することを特徴とする解施錠制御方法が提供される。
【００２５】
本発明によれば、さらにまた、無線通信を介して制御対象の解施錠部を制御する無線端末に搭載されたコンピュータを機能させる解施錠制御プログラムであって、
上記無線端末は、
起動させられることにより解施錠部を解錠させる又は解錠待機状態にさせる信号を送信可能とする無線通信インタフェースと、
制御対象から発信される信号であってこの制御対象の識別情報を含む信号を受信可能なウェイクアップ信号受信部と、
制御対象の解錠予約情報を保持する予約情報管理手段と
を有しており、
上記解施錠制御プログラムは、
解錠予約情報に基づいて、制御対象から受信すべき識別情報を予め設定する識別情報設定手段と、
ウェイクアップ信号受信部によって受信された信号が、設定された受信すべき識別情報を含む信号であるか否かを判定するウェイクアップ判定手段と、
ウェイクアップ判定手段が真の判定を行った際、無線通信インタフェースを起動させるインタフェース制御手段と
してコンピュータを機能させることを特徴とする解施錠制御プログラムが提供される。
【００２６】
本発明の無線端末、解施錠制御システム、解施錠制御方法及び解施錠制御プログラムによれば、予約情報を認証した上での解施錠の制御が、低消費電力で実現可能となる。
【図面の簡単な説明】
【００２７】
【図１】本発明による無線端末の利用形態を説明するための概略図である。
【図２】本発明による解施錠制御システムを構成するスマートキー端末（無線端末）及び車両（制御対象）の一実施形態を示す機能構成図である。
【図３】車両（制御対象）から発信される識別信号の一実施形態を示す概略図である。
【図４】本発明による解施錠部制御方法のうち解錠制御の一実施形態を示すシーケンス図である。
【図５】本発明による解施錠部制御方法のうち解錠制御の一実施形態を示すシーケンス図である。
【図６】本発明による解施錠部制御方法のうち施錠制御の一実施形態を示すシーケンス図である。
【図７】本発明による解施錠部制御方法のうち施錠制御の一実施形態を示すシーケンス図である。
【発明を実施するための形態】
【００２８】
本発明による無線端末は、無線通信を介して制御対象の「解施錠部」を制御する。この制御対象には、カーシェア対象の車両（自動車）、自家用車、及びその他の移動手段や、出入口に解施錠可能なドアを備えた部屋及び建物や、さらには、解施錠可能な扉を備えた家電製品及びその他の装置等、種々の物品・構造物が適用可能である。また、「解施錠部」の解施錠対象としては、ドア、トランク、扉、シャッター、蓋部、ハッチ、連結（コネクタ）部等、種々の形態のものが採用可能である。
【００２９】
以下、図面を用いて詳細に説明する本発明の実施形態においては、制御対象をカーシェア対象の車両とし、「解施錠部」の解施錠対象をこの車両のドアとする。
【００３０】
図１は、本発明による無線端末の利用形態を説明するための概略図である。
【００３１】
図１（Ａ）によれば、最初に、ユーザは、カーシェアリングの対象である車両（制御対象）２の使用を、予め登録する。この登録は、無線端末であるスマートキー端末１を使用し、ネットワークを介して予約情報管理サーバ３に対して行うことができる。ここで、予約情報管理サーバ３は、このユーザの「予約情報」（解錠予約情報）を格納する。
【００３２】
次いで、ユーザは、スマートキー端末１を携帯しつつ、車両２を使用するため、車両２に接近する。ここで、スマートキー端末１は、
（ａ）車両２の「解施錠部」２００を解錠させる又は解錠待機状態にさせる信号を送信可能な「無線通信インタフェース」と、
（ｂ）車両２から発信される信号であって車両２の「識別情報」を含む信号を受信可能な「ウェイクアップ信号受信部」と
を有している。ここで、（ａ）の「無線通信インタフェース」は、「解施錠部」２００を制御する前の段階では停止状態にある。
【００３３】
また、（ｂ）の「ウェイクアップ信号受信部」も、本実施形態では、「解施錠部」２００を制御する前の段階で停止状態にある。この場合、スマートキー端末１は、
（ｃ）スマートキー端末１の加速度を測定する「加速度センサ」
を備えていて、測定された加速度の情報からスマートキー端末１が移動しているか否かを判定し、移動しているとの判定を行った際に、「ウェイクアップ信号受信部」を起動させる。
【００３４】
図１（Ａ）に示された利用形態では、ユーザは、車両２に接近しているので、（ｃ）の「加速度センサ」からの加速度の情報から、スマートキー端末１が移動しているとの判定が行われる。その結果、「ウェイクアップ信号受信部」が起動する。
【００３５】
一方、車両２は、車両２の「識別情報」を含む識別信号を、定期的に（例えば数十〜数百ｍｓ（ミリ秒）毎に）発信する。この識別信号の発信強度は、非常に低く設定されており、その結果、この識別信号の受信可能エリアであるウェイクアップエリアは、例えば車両２から数ｍ〜数十ｍの範囲となっている。ここで、このウェイクアップエリア内に進入してきた「ウェイクアップ信号受信部」（スマートキー端末１）は、起動させられた後、この「識別情報」を含む識別信号を受信する。
【００３６】
スマートキー端末１は、さらに、
（ｄ）車両２を使用するための「予約情報」（解錠予約情報）を保持して、この保持された「予約情報」に基づいて、車両２から「受信すべき識別情報」を設定し、
（ｅ）「ウェイクアップ信号受信部」によって受信された信号が、設定された「受信すべき識別情報」を含む信号であるか否かを判定する。
【００３７】
ここで、上記（ｅ）の判定で、「受信すべき識別情報」を含む信号であるとの判定が行われた際、「無線通信インタフェース」を起動させるのである。図１（Ａ）では、「ウェイクアップ信号受信部」が、ユーザの予約対象である車両２からの「識別情報」を含む識別信号を受信するので、「無線通信インタフェース」が起動される。
【００３８】
また、車両２は、さらに、スマートキー端末１の「無線通信インタフェース」と通信を確立することができる「対象側無線通信部」を備えている。この「対象側無線通信部」は、所定時間間隔で所定強度の標識信号（ビーコン）を発信し、この標識信号を受信して通信接続が可能となる車外作動エリアを形成する。尚、上述した車両２の「識別情報」を含む識別信号は、この「対象側無線通信部」から発信されてもよく、別に設置された無線通信部によって発信されてもよい。
【００３９】
ここで、この車外作動エリア内に進入してきた「無線通信インタフェース」（スマートキー端末１）は、起動させられた後、車両２の「対象側無線通信部」との間で通信を確立する。
【００４０】
次いで、このように通信の確立したスマートキー端末１の「無線通信インタフェース」は、車両２から「認証情報」（解錠認証情報）を受信する。ここで、スマートキー端末１は、
（ｆ）受信された「認証情報」と、保持された「予約情報」とを照合し、所定の照合条件を満たす場合に、「解施錠部」２００を解錠させる又は解錠待機状態にさせる解錠（待機）信号を、「無線通信インタフェース」を介して車両２（「対象側無線通信部」）に送信する。
【００４１】
車両２は、この解錠（待機）信号を受信した際、「解施錠部」２００を駆動させて、ドア（扉部）２０の解錠、又は解錠待機を実施する。
【００４２】
以上説明したように、スマートキー端末１の「無線通信インタフェース」は、当初停止した状態であって、車両２から送信された「識別情報」と保持された「予約情報」とが適合する場合にのみ起動させられて、「解施錠部」２００を解錠させる又は解錠待機状態にさせる信号を送信する。即ち、解錠することが予約されていた「解施錠部」２００を認証した場合にのみ、起動させられるので、結果として、解錠に結びつかない不要な電力の消費を抑制することができる。
【００４３】
さらに、「ウェイクアップ信号受信部」も当初停止している実施形態においては、「ウェイクアップ信号受信部」は、スマートキー端末１が移動していると判定された場合にのみ、起動させられる。実際、車両２におけるドア２０の「解施錠部」２００を解錠しようとする場合、ユーザは、スマートキー端末１を携帯しつつ、この車両２に接近する移動を行う。この移動を検知して、ユーザが解錠を意図していると想定される場合にのみ、「ウェイクアップ信号受信部」を起動させることによって、解錠に結びつかない不要な電力の消費をさらに抑制することができる。
【００４４】
因みに、１つの例であるが、従来のスマートキーに搭載された無線通信部の消費電力が２０μＷ（マイクロワット）程度であるのに対し、ウェイクアップ信号受信部の消費電力は、その約半分から６割程度となる。従って、「無線通信インタフェース」だけでなく「ウェイクアップ信号受信部」も必要に応じて起動させることによる節電効果は、十分に大きいことが理解される。尚、加速度センサの消費電力は、例えば１μＷ程度であり、無線通信部と比較して通常一桁又はそれ以上小さい。
【００４５】
このように、本発明のスマートキー端末１によれば、「予約情報」を認証した上での解施錠の制御が、低消費電力で実現可能となるのである。
【００４６】
尚、上記（ｅ）の判定で、「受信すべき識別情報」を含む信号であるとの判定が行われ、「無線通信インタフェース」が起動した際、スマートキー端末１は、この「無線通信インタフェース」又は内蔵する他の無線通信部を用いて、スマートキー端末１と接続可能なネットワークに設置された予約情報管理サーバ３に対し、「予約情報」を照会して、予約情報管理サーバ３から車両２を使用するための「予約情報」を取得して更新することも好ましい。
【００４７】
このように、スマートキー端末１では、ユーザが車両２に接近している間に、予め保持された又は（サーバ３とのやり取りで）更新された「予約情報」と、受信した「認証情報」とを照合して認証処理を済ませることができる。その結果、例えば、従来のようにユーザがカーシェア対象の車両に会員カードをかざして認証完了まで待つといった不便が生じず、速やかに車両２を使用することが可能となる。
【００４８】
因みに、スマートキー端末１の「無線通信インタフェース」と、車両２の「対象側無線通信部」とは、例えば、Ｗｉ−Ｆｉ（Wireless Fidelity）のような無線ＬＡＮ又はBluetooth（登録商標）等のローカルネットワークを形成してもよい。
【００４９】
また、スマートキー端末１（の「無線通信インタフェース」又は内蔵する他の無線通信部）と、予約情報管理サーバ３とは、ＬＴＥ(Long Term Evolution)、３Ｇ(3rd Generation)等の携帯電話網、ＷｉＭＡＸ(Worldwide Interoperability for Microwave Access)、又はＷｉ−Ｆｉのような無線ＬＡＮ等と、インターネットとを介して接続されることができる。
【００５０】
さらに、図１（Ｂ）によれば、ユーザは、解施錠部２００を解錠した後、車両２のドア２０を開けて、車両２の運転席に着いている。車両２の車内では、イモビライザの通信部が定期的に標識信号（ビーコン）を発信し、イモビライザの車内作動エリアが形成されている。ここで、スマートキー端末１（の「無線通信インタフェース」）は、車両２の車内に入ることによって、イモビライザの通信部と通信を確立し、認証処理を行った上で、エンジンを始動（待機）状態にするためのＩＤをイモビライザに送信する。
【００５１】
エンジン始動（待機）のためのＩＤを受信したイモビライザは、エンジンＥＣＵ（Engine Control Unit）との間で、このＩＤの照合を行う。エンジンＥＣＵは、所定の照合結果が得られれば、エンジンを始動（待機）状態にする。
【００５２】
以上、説明したように、本実施形態によれば、ユーザがスマートキー端末１を携帯して車両２に接近し車両に乗り込むだけで、「予約情報」の照合、ドア２０の解錠（待機）化、及びエンジンの始動（待機）化までを、不要な電力消費を抑制しつつ、速やかに且つ自動で実施することができる。
【００５３】
図２は、本発明による解施錠制御システムを構成するスマートキー端末１（無線端末）及び車両２（制御対象）の一実施形態を示す機能構成図である。
【００５４】
図２によれば、解施錠制御システムは、解施錠部２００を備えた車両２と、無線通信を介して車両２の解施錠部２００を制御するスマートキー端末１とを備えている。また、スマートキー端末１と接続可能なネットワークに設置された予約情報管理サーバ３が設けられていることも好ましい。
【００５５】
［スマートキー端末１］
スマートキー端末１は、ウェイクアップ信号通信部１００と、無線通信インタフェース１０１と、操作部１０３と、プロセッサ・メモリとを備えている。また、加速度センサ１０２を備えていることも好ましい。ここで、プロセッサ・メモリは、スマートキー端末１に搭載されたコンピュータを機能させるプログラムを実行することによって、その機能を実現させる。
【００５６】
さらに、プロセッサ・メモリは、機能構成部として、予約情報管理部１１２と、識別情報設定部１１３と、ウェイクアップ判定部１１４と、インタフェース制御部１１５と、制御管理部１１６とを有する。また、加速度センサ１０２の設置に合わせて、移動判定部１１０と、ウェイクアップ制御部１１１とを有することも好ましい。
【００５７】
ウェイクアップ信号通信部１００は、車両２から発信される信号であって車両２の識別情報を含む識別信号を受信する。また、後に説明するように、車両２の無線通信インタフェース２０２を起動させるためのウェイクアップ信号を送信してもよい。
【００５８】
無線通信インタフェース１０１は、（インタフェース起動部１１５によって）起動させられることにより、車両２の解施錠部２００を解錠させる又は解錠待機状態にさせる解錠（待機）信号を送信可能とする。また、車両２の無線通信インタフェース２０２との間で通信接続・認証が完了した後、無線通信インタフェース２０２から、認証情報を受信することも好ましい。
【００５９】
加速度センサ１０２は、加速度測定部であり、例えばＭＥＭＳ（Micro Electro Mechanical Systems）技術を用いて形成された、例えば静電容量方式又はピエゾ抵抗方式による、３軸タイプの加速度計測計とすることができる。尚、後に説明するように、加速度センサ１０２として、重力加速度を計測し、スマートキー端末１を携帯したユーザの歩数をカウントすることが可能な加速度センサを用いることも好ましい。
【００６０】
操作部１０３は、例えば押下ボタン、又はタッチパネル・ディスプレイ等の入力インタフェースであり、例えば、ユーザは、操作部１０３から車両２の使用（解錠）についての予約を入力することができる。この場合、入力された予約内容は、制御管理部１１６及び無線通信インタフェース１０１を介し、予約情報として予約情報管理サーバ３に登録される。
【００６１】
操作部１０３は、また、後に説明するように、車両２のドア２０を解錠させる要求であるドア解錠要求を送信させるために押下される（又はタッチ操作される）ドア解錠ボタン（アイコン）を含むことも好ましい。さらに、ドア２０を施錠させる要求であるドア施錠要求を送信させるために押下される（又はタッチ操作される）ドア施錠ボタン（アイコン）を含むことも好ましい。また、ウェイクアップ終了通知を車両２に送信するために押下される（又はタッチ操作される）ウェイクアップ終了ボタン（アイコン）を含むことも好ましい。さらに、使用終了通知を予約情報管理サーバ３に送信させるために押下される（又はタッチ操作される）使用終了ボタン（アイコン）を含むことも好ましい。
【００６２】
移動判定部１１０は、加速度センサ１０２において測定された加速度の情報からスマートキー端末１が移動しているか否かを判定する。移動判定方法として、例えば、加速度センサ１０２から所定時間内に出力された加速度値の大きさの標準偏差が所定の閾値Ｖ以上である際、スマートキー端末１が移動状態であると判定することも好ましい。具体的に、出力される加速度値を３軸加速度ベクトルａ＝（ａｘ，ａｙ，ａｚ）とすると、その大きさ｜ａ｜は、
（１）  ｜ａ｜＝（ａｘ２＋ａｙ２＋ａｚ２）０.５
となる。所定時間Ｔａ内に検出されたｋ個のサンプルである加速度値をａｉ（ｉ＝１，２，・・・，ｋ）とし、ａｉの大きさの平均値をａｖ｜ａ｜とすると、次式
（２）  （Σｉ（｜ａｉ｜−ａｖ｜ａ｜）２／ｋ）０.５≧Ｖ
の条件が成立する際、移動判定部１１０は、移動状態であると判定することができる。ここで、Σｉは、ｉについての総和（Summation）である。
【００６３】
また、他の移動判定方法として、重力加速度を計測し、スマートキー端末１を携帯したユーザの歩数をカウントすることが可能な加速度センサ１０２を用いることも好ましい。この場合、移動判定部１１０は、所定数以上の歩数がカウントされた場合、ユーザ（スマートキー端末１）は移動状態である、との判定を行うことができる。
【００６４】
ウェイクアップ制御部１１１は、移動判定部１１０から判定結果を入力し、入力した判定結果が真の判定（移動状態であるとの判定）である際、ウェイクアップ信号通信部１００を起動させる。具体的には、ウェイクアップ信号通信部１００の電力供給部をＯＮにする。
【００６５】
予約情報管理部１１２は、車両２の予約情報を保持・管理する。この保持された予約情報は、例えば、予約情報管理部１１２が予約情報管理サーバ３に予約情報を照会し、その結果、予約情報管理サーバ３から返信された応答を記録したものであってもよいし、当該応答によって更新されたものであってもよく、又は、操作部１０３から入力された予約内容から作成されたものであってもよい。
【００６６】
また、予約情報管理部１１２は、ウェイクアップ判定部１１４が真の判定（受信すべき識別情報を含む信号を受信したとの判定）を行った際、車両２を使用するための予約情報を予め登録した予約情報管理サーバ３に対し、予約情報を照会して、予約情報管理サーバ３から車両２の予約情報を取得して更新することも好ましい。
【００６７】
さらに、後に説明するように、ウェイクアップ信号通信部１００がウェイクアップ信号として、車両２の識別情報と共に車両２の分類情報を含む信号を受信した際、予約情報管理部１１２は、保持した予約情報に基づいて、受信された分類情報に対応する車両２の識別子（例えばＳＳＩＤ）を予め設定し、
（ａ）設定された識別子と、起動させられた無線通信インタフェース１０１によって受信された標識信号（ビーコン）に含まれる識別子とが一致した際、又は
（ｂ）設定された識別子を接続先として含む接続問い合わせ信号（例えばプローブ要求）であって無線通信インタフェース１０１から発信された接続問い合わせ信号に対応する応答信号（例えばプローブ応答）を無線通信インタフェース１０１によって受信した際、
予約情報管理部１１２は、無線通信インタフェース１０１に対し、車両２との通信を確立させる。
【００６８】
識別情報設定部１１３は、この保持された予約情報に基づいて、車両２から受信すべき識別情報を設定する。設定された受信すべき識別情報は、ウェイクアップ判定部１１４に出力され、ウェイクアップ判定に使用される。
【００６９】
ウェイクアップ判定部１１４は、ウェイクアップ信号通信部１００によって受信された信号が、設定された受信すべき識別情報を含む信号であるか否かを判定する。また、この判定結果をインタフェース制御部１１５に出力する。さらに、この判定結果を予約情報管理部１１２に出力することも好ましい。
【００７０】
インタフェース制御部１１５は、ウェイクアップ判定部１１４から入力した判定が真の判定（受信すべき識別情報を含む信号を受信したとの判定）である際、無線通信インタフェース１０１を起動させる。具体的には、無線通信インタフェース１０１の電力供給部をＯＮにする。また、後に説明するように、ウェイクアップ判定部１１４が、車両２のドア２０が閉状態であるとの情報を含む信号を受信したとの判定を行った際、インタフェース制御部１１５は、無線通信インタフェース１０１を起動させて、解施錠部２００を施錠させる信号を送信させることも好ましい。
【００７１】
制御管理部１１６は、無線通信インタフェース１０１による通信を制御する通信制御部と、予約情報管理部１１２が管理する予約情報を用いて照合・認証処理を行う予約情報照合部と、車両２のドア２０の解施錠の指示及び解施錠の状態把握を行う解施錠管理部とを含むことができる。
【００７２】
制御管理部１１６は、特に、車両２から受信された認証情報（解錠認証情報）と、予約情報管理部１１２に保持された又は更新された予約情報（解錠予約情報）とを照合し、所定の照合条件を満たす場合に、解施錠部２００を解錠させる又は解錠待機状態にさせる信号を車両２に送信するように無線通信インタフェース１０１に指示する。
【００７３】
さらに、制御管理部１１６は、車両２の使用終了に相当する操作が操作部１０３で実行されたことを検知した際、予約情報管理サーバ３に使用終了通知を送信し、予約情報管理サーバ３に予約情報に係る車両２の使用終了情報を登録させることも好ましい。
【００７４】
［車両２］
車両２は、ドア（扉部）２０と、解施錠部２００と、無線通信インタフェース２０２と、プロセッサ・メモリとを備えている。また、他の実施形態として、無線通信インタフェース２０２を起動させるためのウェイクアップ信号通信部２０１を備えていてもよい。ここで、プロセッサ・メモリは、車両２に搭載されたコンピュータを機能させるプログラムを実行することによって、その機能を実現させる。
【００７５】
さらに、プロセッサ・メモリは、機能構成部として、車両・認証情報管理部２１０と、制御管理部２１１とを有する。また、ウェイクアップ信号通信部２０１の設置に合わせて、インタフェース制御部２１２を有することも好ましい。
【００７６】
解施錠部２００は、制御管理部２１１から解錠指示の信号を入力した際、ドア２０を解錠し、施錠指示の信号を入力した際、ドア２０を施錠する。また、解施錠部２００は、制御管理部２１１から解錠待機（スタンバイ）指示の信号を入力した際、ユーザによって（ドアボタンを押す、又はドアノブに触れる等の）所定の操作が行われるとドア２０が解錠されるように待機・モニタする状態である解錠待機（スタンバイ）状態をとることも好ましい。
【００７７】
無線通信インタフェース２０２は、スマートキー端末１の無線通信インタフェース１０１との間で通信を確立することができる。また、車両・認証情報管理部２１０から車両２の識別情報を入力して、この識別情報を含む識別信号を定期的に発信することも好ましい。ここで、この識別信号は、別に設置されたウェイクアップ信号通信部２０１から発信されることも好ましい。無線通信インタフェース２０２は、さらに、車両・認証情報管理部２１０から予約に対する認証情報を入力して、この認証情報をスマートキー端末１に向けて送信する。
【００７８】
車両・認証情報管理部２１０は、車両２の識別情報、分類情報、認証情報（解錠認証情報）等を保持・管理する。これらの情報は、予め車両２に設置された操作部を介して車両・認証情報管理部２１０に入力されてもよく、又は、車両２が予約情報管理サーバ３と通信可能な無線通信部を備えていて、予約情報管理サーバ３から当該無線通信部を介して取得されてもよい。
【００７９】
制御管理部２１１は、無線通信インタフェース２０２が解施錠部２００を解錠させる又は解錠待機状態にさせる解錠（待機）信号を受信した際、解施錠部２００に、解錠（待機）指示の信号を出力する。また、解施錠部２００からドア２０が閉状態であるとの通知を入力した際、車両２のドア２０が閉状態であるとの情報を含む信号を送信するように無線通信インタフェース２０２（又はウェイクアップ信号通信部２０１）に指示することも好ましい。
【００８０】
ウェイクアップ信号通信部２０１は、後に説明するように、スマートキー端末１のウェイクアップ信号通信部１００から、無線通信インタフェース２０２を起動させるためのウェイクアップ信号を受信した際、インタフェース制御部２１２に対し、無線通信インタフェース２０２を起動させるように指示する。インタフェース制御部２１２は、起動指示を入力した際、無線通信インタフェース２０２を起動させる。具体的には、無線通信インタフェース２０２の電力供給部をＯＮにする。
【００８１】
［予約情報管理サーバ３］
予約情報管理サーバ３は、スマートキー端末１の無線通信インタフェース１０１と接続可能なアクセスネットワークに接続されたインターネット４に設置されたサーバである。予約情報管理サーバ３は、無線通信インタフェース１０１から、車両２の使用（解錠）についての予約内容を受信し、予約情報として記録・登録する。
【００８２】
また、予約情報管理サーバ３は、スマートキー端末１（無線通信インタフェース１０１）から予約情報の照会要求を受信すると、登録された対応する予約情報を、照会結果としてスマートキー端末１（無線通信インタフェース１０１）に送信する。尚、予約情報管理サーバ３と通信するインタフェースは、無線通信インタフェース１０１に限定されるものではない。予約情報管理サーバ３は、スマートキー端末１が有する他の無線通信部を介して通信してもよい。例えば、無線通信インタフェース１０１と車両２の無線通信インタフェース２０２との間の通信は、Ｗｉ−Ｆｉ又はBluetooth（登録商標）であって、一方、スマートキー端末１と予約情報管理サーバ３との通信は、携帯電話網によってもよい。
【００８３】
図３は、車両２から発信される識別信号の一実施形態を示す概略図である。
【００８４】
図３（Ａ）によれば、車両２の無線通信インタフェース２０２（又はウェイクアップ信号通信部２０１）（図２）から発信される識別信号は、
（ａ）所定のｎ個（ｎ≧１）の第１〜第ｎフレームと、
（ｂ）第ｎフレームの後に連なる第（ｎ＋１）フレームと
の、計（ｎ＋１）個の一連のフレームから構成されている。因みにｎは自然数であり、例えば１０〜２０の間の値とすることができる。また、各フレームのフレーム長は、例えば数十〜数百μｓ（マイクロ秒）とすることができる。
【００８５】
ここで、（ａ）第１〜第ｎフレームはそれぞれ、フレーム長Ｌ1，Ｌ2，・・・，Ｌｎを有しており、これら一連のフレームでフレーム長の順列Ｌ1，Ｌ2，・・・，Ｌｎをなす。車両２の車両・認証情報管理部２１０（図２）は、このフレーム長の順列Ｌ1、Ｌ2、・・・、Ｌｎを車両２の識別情報を表すように設定しており、その結果、第１〜第ｎフレームは、車両２の識別情報を含む信号となっている。尚、この識別信号は、ＩＥＥＥ８０２．１１シリーズに準拠した無線ＬＡＮ、又はBluetooth（登録商標）等における信号であってもよく、または、独自の信号方式における信号であってもよい。
【００８６】
一方、スマートキー端末１のウェイクアップ判定部１１４（図２）は、識別情報設定部１１３から、受信すべき識別情報として、所定の数の順列ｎＬ1，ｎＬ2，・・・，ｎＬｎを判定基準として入力している。ここで、ウェイクアップ判定部１１４は、受信された連続するフレームのフレーム長を測定し、最初のフレームのフレーム長Ｌ１から順次、フレーム長ＬｉがｎＬｉと一致するか否か、即ち、
（３）  Ｌｉ＝ｎＬｉ  （ｉ＝１，２，・・・，ｎ）
の条件が満たされるか否かを判定する。
【００８７】
１つのフレームについて条件（３）が満たれた際、次のフレームのフレーム長について同様に条件（３）の判定を行う。一方、条件（３）が満たされない場合、再び最初に戻って、次いで受信されたフレームを最初のフレームとして、フレーム長Ｌｉ（ｉ＝１，２，・・・，ｎ）がｎＬｉと一致するか否かを順次判定する。
【００８８】
ここで、最初のフレームを第１のフレームとして、この第１のフレームから第ｎのフレームまでの間、フレーム長Ｌｉが期待されるフレーム長ｎＬｉであれば、ウェイクアップ判定部１１４は、受信された信号が、設定された受信すべき識別情報を含むウェイクアップ信号であるとの判定を行う。その結果、無線通信インタフェース１０１（図２）が起動される。
【００８９】
さらに、上記（ｂ）の第（ｎ＋１）フレームは、フレーム長Ｌｎ＋１を有し、このフレーム長Ｌｎ＋１が車両２の分類情報となっている。例えば、車両・認証情報管理部２１０は、
（ａ）車両２がカーシェア会社Ａに属するならば、フレーム長Ｌｎ＋１＝ａと設定し、
（ｂ）車両２がカーシェア会社Ｂに属するならば、フレーム長Ｌｎ＋１＝ｂ（＞ａ）と設定し、
（ｃ）車両２が個人Ｃの所有ならばフレーム長Ｌｎ＋１をｃ（＞ｂ）と設定する。
【００９０】
スマートキー端末１のウェイクアップ判定部１１４は、第１〜第ｎのフレームのフレーム長を測定した結果、受信すべき識別信号を受信したと判定した際、次いで受信されたフレームを第（ｎ＋１）フレームとして予約情報管理部１１２（図２）に出力する。
【００９１】
ここで、予約情報管理部１１２に保持された予約情報には、（ｎ＋１）フレームのフレーム長Ｌｎ＋１と、使用予約対象である車両の分類情報（例えば上記（ａ）〜（ｃ）のような車両２の帰属する会社・所有者種別）とが対応付けられた分類テーブルが含まれている。さらに、使用予約先であるカーシェア会社に帰属する車両の無線通信部（例えば車両２の無線通信インタフェース２０２）に設定された識別子も記録されている。
【００９２】
予約情報管理部１１２は、次いで、このような予約情報に基づいて、使用予約対象である車両２の分類情報（例えば会社Ａに帰属）に対応する車両２の識別子を予め設定する。例えば、スマートキー端末１の無線通信インタフェース１０１と車両２の無線通信インタフェース２０２との間の通信が、ＩＥＥＥ８０２．１１シリーズに準拠した無線ＬＡＮによる場合において、第（ｎ＋１）フレームのフレーム長Ｌｎ＋１がａであるとする。この場合、フレーム長Ｌｎ＋１＝ａであることから車両２の帰属するのは会社Ａであると判断される。さらに、予約情報に記録されているＳＳＩＤ（Service Set IDentifier））であってこの会社Ａに帰属する車両２の無線通信インタフェース２０２に設定されているＳＳＩＤがｃａｒｓｈａｒｉｎｇａであるとすると、接続すべき先のＳＳＩＤは、このｃａｒｓｈａｒｉｎｇａに設定される。
【００９３】
予約情報管理部１１２は、次いで、同じく図３（Ａ）に示すように、
（ａ）設定された識別子（ＳＳＩＤ）を、車両２が発信元である標識信号（ビーコン）に含まれるべき識別子として、この識別子と、起動させられた無線通信インタフェース１０１によって受信された標識信号に含まれる識別子とが一致した際、
無線通信インタフェース１０１に対して車両２（の無線通信インタフェース２０２）との通信を確立するように指示する。または、他の形態として、図３（Ｂ）に示すように、
（ｂ）設定された識別子を接続先として含む接続問い合わせ信号（例えばプローブ要求）であって無線通信インタフェース１０１から発信された接続問い合わせ信号に対応する応答信号（プローブ応答）を無線通信インタフェース１０１によって受信した際、
無線通信インタフェース１０１に対し、車両２（の無線通信インタフェース２０２）との通信を確立させることもできる。
【００９４】
以上、説明したように、車両２から発信される識別信号は、使用予約対象である車両２の識別情報を含んでいるので、この信号を処理・判定するだけで、無線通信インタフェース１０１を起動させる前に、車両２が使用予約対象であるか否かを判断できる。これにより、無線通信インタフェース１０１による結果的に不要な電力消費を抑制可能となる。
【００９５】
また、車両２から発信される識別信号が分類情報をも含んでいる場合、この取得した分類情報から、無線通信インタフェース１０１が接続（通信確立）すべき車両２の無線通信インタフェース２０２の識別子が予め設定可能となるので、起動させられた無線通信インタフェース１０１を、より確実に所望の制御対象（車両２）と接続させることができる。
【００９６】
尚、車両２から発信される識別信号は、上述した形態に限定されるものではない。例えば、最初に、フレーム長Ｌ１のフレームが受信されるのを待つＬ１待ち状態をとり、次いで、受信した信号の中でフレームＬ１の信号を検知した際、フレームＬ２の信号が受信されるのを待つＬ２待ち状態をとることも好ましい。言い換えると、フレーム長の順列Ｌ1，Ｌ2，・・・，Ｌｎにおける１つのフレーム長のフレームを受信した際、この順列におけるその次にあるフレーム長のフレームの受信を待つ処理を、順列の最初のフレーム長Ｌ1から順次実施することも好ましい。この場合、この順列における最後のフレーム長Ｌｎを待った上で、この最後のフレーム長Ｌｎの信号を受信した場合に、受信された一連のフレーム信号がウェイクアップ信号である、と判定する。
【００９７】
いずれにしても、フレーム長に係る信号処理だけを実施すれば、識別情報を含むウェイクアップ信号の判定が可能となるので、その結果、ウェイクアップ時の消費電力も大幅に抑制可能となる。
【００９８】
図４及び図５は、本発明による解施錠部制御方法のうち解錠制御の一実施形態を示すシーケンス図である。
【００９９】
ここで、最初に、スマートキー端末１は、使用されずにある位置に留まって静止しており、スマートキー端末１のウェイクアップ信号通信部１００及び無線通信インタフェース１０１は、停止状態にある。次いで、ユーザは、スマートキー端末１を保持し携帯して、予め使用（解錠）することを予約した車両２に接近する。この際、予約情報管理サーバ３には、この車両２の予約情報が登録されている。
【０１００】
（Ｓ４００）最初、図４に示すように、スマートキー端末１の移動判定部１１０は、加速度センサ１０２からの加速度測定値に基づいて、スマートキー端末１（ユーザ）が移動状態にあるとの判定を行う。
（Ｓ４０１）ウェイクアップ信号通信部１００は、（ウェイクアップ制御部１１１から）ウェイクアップＯＮ信号を受けて起動させられる。
【０１０１】
（Ｓ４０２）車両２の無線通信インタフェース２０２（又はウェイクアップ信号通信部２０１）は、識別信号を定期的に発信する。
（Ｓ４０３）ウェイクアップ信号通信部１１０が、受信すべき識別情報を含む信号を受信した際、当該信号を受信したとの判定結果がインタフェース制御部１１５に通知される。
（Ｓ４０４）無線通信インタフェース１０１は、インタフェース制御部１１５から無線通信ＯＮ信号を受けて起動させられる。
【０１０２】
ここで、以下の変更態様（ステップＳ４０５〜Ｓ４０８）を実施することも好ましい。この変更態様では、当初、車両２の無線通信インタフェース２０２は停止している。
（Ｓ４０５）制御管理部１１６は、受信すべき識別情報を含む信号を受信したとの判定結果を入力した際、ウェイクアップ信号通信部１００に対し、車両２の無線通信インタフェース２０２を起動させる信号を送信するように指示する。
（Ｓ４０６）ウェイクアップ信号通信部１００は、識別信号受信に対するＡＣＫ（肯定応答）としてのウェイクアップ信号を発信する。
【０１０３】
（Ｓ４０７）車両２のウェイクアップ信号通信部２０１は、ウェイクアップ信号通信部１００からのウェイクアップ信号を受信し、受信通知をインタフェース制御部２１２に出力する。
（Ｓ４０８）無線通信インタフェース２０２は、インタフェース制御部２１２から無線通信ＯＮ信号を受けて起動させられる。
このようなステップＳ４０５〜Ｓ４０８を採用することによって、解施錠に必要となる場合にのみ、車両２の無線通信インタフェース２０２を起動させることができるので、車両２側においても不要な電力の消費が抑制可能となる。
【０１０４】
（Ｓ４０９、Ｓ４１０）スマートキー端末１の無線通信インタフェース１０１と、車両２の無線通信インタフェース２０２とは、互いの間で通信接続を確立し、認証を行う。
（Ｓ４１１）スマートキー端末１の無線通信インタフェース１０１は、制御管理部１１６に接続・認証の完了を通知する。
【０１０５】
（Ｓ４２０）一方、車両２の無線通信インタフェース２０２も、車両・認証情報管理部２１０に接続・認証の完了を通知する。
（Ｓ４２１、Ｓ４２２）車両・認証情報管理部２１０は、無線通信インタフェース２０２に認証情報（解錠認証情報）を出力し、無線通信インタフェース２０２は、この認証情報をスマートキー端末１の無線通信インタフェース１０１に送信する。
（Ｓ４２３）無線通信インタフェース１０１は、受信した認証情報を制御管理部１１６に出力する。
【０１０６】
ここで、以下の変更態様（ステップＳ４３０〜Ｓ４３３）を実施することも好ましい。尚、この変更態様では、無線通信インタフェース１０１は、予約情報管理サーバ３と通信可能となっているが、スマートキー端末１に設置された他の無線通信部を用いて予約情報管理サーバ３と通信を行ってもよい。
（Ｓ４３０、Ｓ４３１）認証情報を取得した制御管理部１１６は、無線通信インタフェース１０１に対し、予約情報の照会を指示し、無線通信インタフェース１０１は、予約情報管理サーバ３に、予約情報の照会要求を送信する。
【０１０７】
（Ｓ４３２）予約情報管理サーバ３は、照会要求に対する応答として、登録した予約情報を無線通信インタフェース１０１に送信する。
（Ｓ４３３）無線通信インタフェース１０１は、受信した予約情報を制御管理部１１６に送信する。
このようなステップＳ４３０〜Ｓ４３３を採用することによって、予約情報管理サーバ３に登録された最新且つ確実に有効な予約情報を取得することが可能となる。
【０１０８】
（Ｓ４４０、Ｓ４１１）制御管理部１１６は、車両２から取得された認証情報と、予約情報管理部１１２から入力された予約情報とを照合し、所定の照合条件を満たす場合に、解施錠部２００を解錠待機（スタンバイ）状態にさせる信号を送信するように無線通信インタフェース１０１に指示する。
【０１０９】
ここで、所定の照合条件を満たす場合とは、認証情報及び予約情報内における、例えば、車両２の識別子、車種、乗車可能人数、荷物搭載量、及び帰属会社名等の少なくとも１つを電子データ化（して暗号化）したもののそれぞれ又は少なくとも一部が一致する場合を指す。尚、変更態様として、車両２に、予め予約情報管理サーバ３との間で通信接続した上で予約情報を照会する機能を持たせた場合、認証情報に予約証情報（使用日、使用開始時刻、使用時間）、ユーザ名、及びスマートキー端末１の識別子等の少なくとも１つを含めることも可能となる。
【０１１０】
（Ｓ５００）次いで、図５に示すように、無線通信インタフェース１０１は、ドア解錠スタンバイ要求を、無線通信インタフェース２０２に送信する。
（Ｓ５０１）車両２の無線通信インタフェース２０２は、受信したドア解錠スタンバイ要求を、制御管理部２１１に出力し、制御管理部２１１は、ドア解錠スタンバイ信号を解施錠部２００に出力する。
（Ｓ５０２）解施錠部２００は、ドア解錠スタンバイ信号を入力して、ドア２０を解錠スタンバイ状態とし、制御管理部２１１にドア解錠スタンバイ成功を通知する。
【０１１１】
（Ｓ５０３、Ｓ５０４）制御管理部２１１は、無線通信インタフェース２０２に対し、ドア解錠スタンバイ成功通知を送信するように指示し、無線通信インタフェース２０２は、無線通信インタフェース１０１にドア解錠スタンバイ成功通知を送信する。
（Ｓ５０５）スマートキー端末１の無線通信インタフェース１０１は、受信したドア解錠スタンバイ成功通知を制御管理部１１６に出力する。
【０１１２】
次いで、ドア２０の解錠を要求する方法として、ステップＳ５１０及びＳ５１１の受信信号強度（ＲＳＳＩ，Received Signal Strength Indication）を利用する方法と、ステップＳ５２０のドア解錠ボタン（アイコン）を利用する方法とが挙げられる。前者の方法では、
（Ｓ５１０）無線通信インタフェース１０１は、車両２の無線通信インタフェース２０２から（定期的に）受信する信号の強度を測定し、このＲＳＳＩ値を制御管理部１１６に出力する。
（Ｓ５１１）制御管理部１１６は、入力したＲＳＳＩ値が所定の閾値Ｉｔｈ以上であるか否かを判定し、真の判定を行った際、次のステップ（Ｓ５３０）に移行する。一方、偽の判定を行った際、継続して無線通信インタフェース１０１にＲＳＳＩをモニタさせる。
【０１１３】
尚、ステップＳ５１１における変更態様として、制御管理部１１６は、入力したＲＳＳＩ値が、ドア解錠スタンバイ成功通知を入力した後の測定時から所定の強度比Ｒｔｈ以上に増大し、且つ所定の閾値Ｉｔｈ以上である際、次のステップ（Ｓ５３０）に移行することも好ましい。
【０１１４】
また、後者のドア解錠ボタン（アイコン）を利用する方法では、
（Ｓ５２０）制御管理部１１６は、操作部１０３のドア解錠ボタン（アイコン）が押下（タッチ操作）されたことを検知し、次のステップ（Ｓ５３０）に移行する。
【０１１５】
（Ｓ５３０）制御管理部１１６は、無線通信インタフェース１０１に対し、ドア解錠要求を送信するように指示する。
（Ｓ５３１）無線通信インタフェース１０１は、ドア解錠要求を、無線通信インタフェース２０２に送信する。
（Ｓ５３２）車両２の無線通信インタフェース２０２は、受信したドア解錠要求を、制御管理部２１１に出力し、制御管理部２１１は、ドア解錠信号を解施錠部２００に出力する。
（Ｓ５３３）解施錠部２００は、ドア解錠信号を入力して、ドア２０を解錠状態とし、制御管理部２１１にドア解錠成功を通知する。
【０１１６】
（Ｓ５３４、Ｓ５３５）制御管理部２１１は、無線通信インタフェース２０２に対し、ドア解錠成功通知を送信するように指示し、無線通信インタフェース２０２は、無線通信インタフェース１０１にドア解錠成功通知を送信する。
（Ｓ５３６）スマートキー端末１の無線通信インタフェース１０１は、受信したドア解錠成功通知を制御管理部１１６に出力する。ここで、制御管理部１１６は、車両２のドア２０が解錠状態であることを認識する。
【０１１７】
図６及び図７は、本発明による解施錠部制御方法のうち施錠制御の一実施形態を示すシーケンス図である。
【０１１８】
ここで、最初に、スマートキー端末１は、車両２を運転中のユーザと共に車両２内に置かれており、スマートキー端末１の無線通信インタフェース１０１は、停止状態にある。次いで、ユーザは、スマートキー端末１を保持し携帯して、車両２の運転を終了し、ドア２０を開けて車外に出て、ドア２０を閉じる。尚、無線通信インタフェース１０１は、例えば、エンジンの始動成功通知をイモビライザから受信した際に、又はその受信時点から所定時間経過後に、停止させられていてもよい。
【０１１９】
（Ｓ６００）最初、図６に示すように、解施錠部２００は、ドア２０が閉じられたことを検知し、ドア閉信号を制御管理部２１１に出力する。
（Ｓ６０１）制御管理部２１１は、車両２の無線通信インタフェース２０２（又はウェイクアップ信号通信部２０１）に対し、ドア２０が閉状態であるとの情報を含むドア閉信号を定期的に発信するように指示する。
【０１２０】
ここで、ドア閉信号は、一連の複数のフレームであって、例えば、各フレームのフレーム長が全て所定値Ｌｃであるか、又はこれらフレーム長が所定値の組{Ｌｃ１，Ｌｃ２，・・・}をなすように設定された複数のフレームとすることができる。いずれにしても、フレーム長によって、ドア２０が閉状態であるとの情報を含む信号とすることが好ましい。
【０１２１】
（Ｓ６０２）車両２の無線通信インタフェース２０２はドア閉信号を定期的に発信する。
（Ｓ６０３）ウェイクアップ信号通信部１００が、ドア２０が閉状態であるとの情報を含む信号を受信した際、当該信号を受信したとの判定結果がインタフェース制御部１１５に通知される。
（Ｓ６０４）無線通信インタフェース１０１は、インタフェース制御部１１５から無線通信ＯＮ信号を受けて起動させられる。
【０１２２】
ここで、以下の変更態様（ステップＳ６１０〜Ｓ６１３）を実施することも好ましい。この変更態様では、当初、車両２の無線通信インタフェース２０２は停止している。尚、無線通信インタフェース２０２は、例えば、エンジンが始動した際に、又はその始動時点から所定時間経過後に、停止させられていてもよい。
（Ｓ６１０）制御管理部１１６は、ドア２０が閉状態であるとの情報を含む信号を受信したとの判定結果を入力した際、ウェイクアップ信号通信部１００に対し、車両２の無線通信インタフェース２０２を起動させる信号を送信するように指示する。
（Ｓ６１１）ウェイクアップ信号通信部１００は、ドア閉信号受信に対するＡＣＫ（肯定応答）としてのウェイクアップ信号を発信する。
【０１２３】
（Ｓ６１２）車両２のウェイクアップ信号通信部２０１は、ウェイクアップ信号通信部１００からのウェイクアップ信号を受信し、受信通知をインタフェース制御部２１２に出力する。
（Ｓ６１３）無線通信インタフェース２０２は、インタフェース制御部２１２から無線通信ＯＮ信号を受けて起動させられる。
このようなステップＳ６１０〜Ｓ６１３を採用することによって、解施錠に必要となる場合にのみ、車両２の無線通信インタフェース２０２を起動させることができるので、車両２側においても不要な電力の消費が抑制可能となる。
【０１２４】
（Ｓ６２０、Ｓ６２１）スマートキー端末１の無線通信インタフェース１０１と、車両２の無線通信インタフェース２０２とは、互いの間で通信接続を確立し、認証を行う。
（Ｓ６２２）スマートキー端末１の無線通信インタフェース１０１は、制御管理部１１６に接続・認証の完了を通知する。
【０１２５】
（Ｓ７００）次いで、図７に示すように、制御管理部１１６は、操作部１０３のドア施錠ボタン（アイコン）が押下（タッチ操作）されたことを検知する。
（Ｓ７０１）制御管理部１１６は、無線通信インタフェース１０１に対し、ドア施錠要求を送信するように指示する。
（Ｓ７０２）無線通信インタフェース１０１は、ドア施錠要求を、無線通信インタフェース２０２に送信する。
【０１２６】
（Ｓ７０３）車両２の無線通信インタフェース２０２は、受信したドア施錠要求を、制御管理部２１１に出力し、制御管理部２１１は、ドア施錠信号を解施錠部２００に出力する。
（Ｓ７０４）解施錠部２００は、ドア施錠信号を入力して、ドア２０を施錠状態とし、制御管理部２１１にドア施錠を通知する。
【０１２７】
（Ｓ７０５、Ｓ７０６）制御管理部２１１は、無線通信インタフェース２０２に対し、ドア施錠通知を送信するように指示し、無線通信インタフェース２０２は、無線通信インタフェース１０１にドア施錠通知を送信する。
（Ｓ７０７）スマートキー端末１の無線通信インタフェース１０１は、受信したドア施錠通知を制御管理部１１６に出力する。これにより、制御管理部１１６は、車両２のドア２０が施錠状態であることを認識する。
【０１２８】
ここで、ユーザが車両２を長時間使用しない等の事情がある場合に、車両２のウェイクアップ送信機能をＯＦＦにすることができることも好ましい。この場合、以下のステップＳ７１０〜Ｓ７１７が実行される。
（Ｓ７１０、Ｓ７１１）制御管理部１１６は、操作部１０３のウェイクアップ終了ボタン（アイコン）が押下（タッチ操作）されたことを検知し、無線通信インタフェース１０１に対し、ウェイクアップ終了要求を送信するように指示する。
（Ｓ７１２）無線通信インタフェース１０１は、ウェイクアップ終了要求を、無線通信インタフェース２０２に送信する。
【０１２９】
（Ｓ７１３）車両２の無線通信インタフェース２０２は、ウェイクアップ終了要求を、制御管理部２１１に出力する。
（Ｓ７１４）制御管理部２１１は、車両２の無線通信インタフェース２０２（又はウェイクアップ信号通信部２０１）からの識別信号（ウェイクアップ信号）の発信を停止させる。
（Ｓ７１５、Ｓ７１６）制御管理部２１１は、無線通信インタフェース２０２に対し、ウェイクアップ終了通知を送信するように指示し、無線通信インタフェース２０２は、無線通信インタフェース１０１にウェイクアップ終了通知（ＡＣＫ）を送信する。
（Ｓ７１７）スマートキー端末１の無線通信インタフェース１０１は、受信したウェイクアップ終了通知を制御管理部１１６に出力する。ここで、制御管理部１１６は、車両２の無線通信インタフェース２０２（又はウェイクアップ信号通信部２０１）が識別信号発信を停止させた状態であることを認識する。
【０１３０】
さらに、以下のステップＳ７２０〜７２４を実行して、車両２の無線通信インタフェース２０２を停止させることも好ましい。
（Ｓ７２０）制御管理部２１１は、無線通信インタフェース１０１に対し、車両２の無線通信インタフェース２０２の停止を要求する信号を送信するように指示する。
（Ｓ７２１）ウェイクアップ信号通信部１００は、ドア施錠通知受信（ステップＳ７０６）に対するＡＣＫ（肯定応答）としての無線通信ＯＦＦ要求を送信する。
【０１３１】
（Ｓ７２２）車両２の無線通信インタフェース２０２は、無線通信ＯＦＦ要求を受信し、この受信通知を制御管理部２１１及びインタフェース制御部２１２に出力する。
（Ｓ７２３）無線通信インタフェース２０２は、インタフェース制御部２１２から無線通信ＯＦＦ信号を受けて停止させられる。
【０１３２】
また、車両２の無線通信インタフェース２０２が停止させられた場合でも、車両２がウェイクアップ信号通信部２０１を備えている場合、以下のステップＳ７３０〜Ｓ７３１を実行して識別信号（ウェイクアップ信号）を定期的に発信することができる。
（Ｓ７３０）制御管理部２１１は、無線通信ＯＦＦ要求受信通知を入力して所定時間経過後、ウェイクアップ信号通信部２０１に対し、識別信号を発信するよう指示する。
（Ｓ７３１）ウェイクアップ信号通信部２０１は、識別信号（ウェイクアップ信号）を定期的に発信する。
【０１３３】
さらに、他の実施形態として、以下のステップＳ７４０〜Ｓ７４４を実行して予約情報管理サーバ３に車両２の使用終了を登録することができる。
（Ｓ７４０、Ｓ７４１）制御管理部１１６は、操作部１０３の使用終了ボタン（アイコン）が押下（タッチ操作）されたことを検知し、無線通信インタフェース１０１に対し、使用終了通知を送信するように指示する。
（Ｓ７４２）無線通信インタフェース１０１は、使用終了通知を、予約情報管理サーバ３に送信する。
【０１３４】
（Ｓ７４３）予約情報管理サーバ３は、登録された予約情報に関する車両２の使用終了を登録し、使用終了登録通知（ＡＣＫ）を無線通信インタフェース１０１に送信する。
（Ｓ７４４）スマートキー端末１の無線通信インタフェース１０１は、受信した使用終了登録通知を制御管理部１１６に出力する。ここで、制御管理部１１６は、車両２の使用終了が予約情報管理サーバ３に登録されたことを認識する。
【０１３５】
以上、詳細に説明したように、本発明によれば、無線端末の無線通信インタフェースは、当初停止した状態であって、解錠することが予約されていた解施錠部を認証した場合にのみ、起動させられるので、結果として、解錠に結びつかない不要な電力の消費を抑制することができる。さらに、ウェイクアップ信号受信部も当初停止している実施形態においては、ウェイクアップ信号受信部は、無線端末が移動していると判定された場合にのみ、起動させられるので、解錠に結びつかない不要な電力の消費をさらに抑制することが可能となる。このように、本発明の無線端末によれば、予約情報を認証した上での解施錠の制御が、低消費電力で実現可能となるのである。
【０１３６】
以上に述べた本発明の種々の実施形態において、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【０１３７】
１  スマートキー端末（無線端末）
１００  ウェイクアップ信号通信部
１０１  無線通信インタフェース
１０２  加速度センサ
１０３  操作部
１１０  移動判定部
１１１  ウェイクアップ制御部
１１２  予約情報管理部
１１３  識別情報設定部
１１４  ウェイクアップ判定部
１１５  インタフェース制御部
１１６  制御管理部
２  車両（制御対象）
２０  ドア（扉部）
２００  解施錠部
２０２  無線通信インタフェース
２０１  ウェイクアップ信号通信部
２１０  車両・認証情報管理部
２１１  制御管理部
２１２  インタフェース制御部
３  予約情報管理サーバ
４  インターネット
【図１】
2014095223.tif 000003
【図２】
2014095223.tif 000004
【図３】
2014095223.tif 000005
【図４】
2014095223.tif 000006
【図５】
2014095223.tif 000007
【図６】
2014095223.tif 000008
【図７】
2014095223.tif 000009